(57)【要約】【課題】簡単な構成で、光ディスクの取り外しを容易に行うことができるディスクチャッキング機構、ディスクドライブ装置及び保持機構を提供する。【解決手段】本技術の一形態に係るディスクチャッキング機構は、ターンテーブルと、解除部材とを具備する。ターンテーブルは、中心孔を有するディスクが載置される載置部と、載置部に形成され中心孔と嵌合可能な嵌合部と、嵌合部に設けられ嵌合部に嵌合したディスクを載置部上に保持する保持部と、載置部に固定された回転軸を有する駆動源とを有する。上記解除部材は、嵌合部の外方へ突出し嵌合部に向かって移動可能な操作部と、載置部と保持部との間に配置され載置部に載置されたディスクを載置部から離間する方向へ押圧可能な可動部と、操作部と可動部との間を連結し、操作部の移動を可動部の前記方向への移動に変換可能にターンテーブルに支持される支持部とを有する。【選択図】図３
2013161494.tif 000002
【特許請求の範囲】
【請求項１】
中心孔を有するディスクが載置される載置部と、前記載置部に形成され前記中心孔と嵌合可能な嵌合部と、前記嵌合部に設けられ、前記嵌合部に嵌合した前記ディスクを前記載置部上に保持する保持部と、前記載置部に固定された回転軸を有する駆動源と、を有するターンテーブルと、
前記嵌合部の外方へ突出し前記嵌合部に向かって移動可能な操作部と、前記載置部と前記保持部との間に配置され前記載置部に載置された前記ディスクを前記載置部から離間する方向へ押圧可能な可動部と、前記操作部と前記可動部との間を連結し、前記操作部の移動を前記可動部の前記方向への移動に変換可能に前記ターンテーブルに支持される支持部と、を有する解除部材と
を具備するディスクチャッキング機構。
【請求項２】
請求項１に記載のディスクチャッキング機構であって、
前記支持部は、前記嵌合部に回動可能に支持された軸部を含み、
前記操作部及び前記可動部は、前記軸部のまわりに回動可能に構成される
ディスクチャッキング機構。
【請求項３】
請求項１に記載のディスクチャッキング機構であって、
前記解除部材は、前記操作部と前記可動部と前記支持部とをそれぞれ有し前記嵌合部の周囲に配置された複数の解除部材で構成される
ディスクチャッキング機構。
【請求項４】
請求項１に記載のディスクチャッキング機構であって、
前記支持部は、弾性変形可能な弾性部と、前記ターンテーブルに支持され前記弾性部の変形を前記可動部の傾動に変換する支点部と、を有する
ディスクチャッキング機構。
【請求項５】
請求項４に記載のディスクチャッキング機構であって、
前記弾性部は、前記操作部と前記可動部との間に形成され、
前記支点部は、前記弾性部と前記可動部との間に形成された屈曲部である
ディスクチャッキング機構。
【請求項６】
請求項４に記載のディスクチャッキング機構であって、
前記操作部は、前記回転軸の軸方向に沿って移動可能に前記回転軸に支持される筒形状を有し、
前記支持部は、前記嵌合部の周囲から径外方へ突出する複数の弾性片を有し、
前記可動部は、前記複数の弾性片に連接された複数の可動片を有する
ディスクチャッキング機構。
【請求項７】
請求項６に記載のディスクチャッキング機構であって、
前記保持部は、前記嵌合部の周囲に配置された複数の保持片を有し、
前記複数の保持片の各々は、前記複数の弾性片の各々の間に配置される
ディスクチャッキング機構。
【請求項８】
筐体と、
中心孔を有するディスクが載置される載置部と、前記載置部に形成され前記中心孔と嵌合可能な嵌合部と、前記嵌合部に設けられ、前記嵌合部に嵌合した前記ディスクを前記載置部上に保持する保持部と、前記載置部に固定された回転軸を有する駆動源と、を有するターンテーブルと、
前記嵌合部の外方へ突出し前記嵌合部に向かって移動可能な操作部と、前記載置部と前記保持部との間に配置され前記載置部に載置された前記ディスクを前記載置部から離間する方向へ押圧可能な可動部と、前記操作部と前記可動部との間を連結し、前記操作部の移動を前記可動部の前記方向への移動に変換可能に前記ターンテーブルに支持される支持部と、を含む解除部材と、
を有し、前記筐体内に配置されるディスクチャッキング機構と
を具備するディスクドライブ装置。
【請求項９】
取付孔を有する板状の被保持体が載置される載置部と、前記載置部に形成され前記取付孔と嵌合可能な嵌合部と、前記嵌合部に設けられ、前記嵌合部に嵌合した前記被保持体を前記載置部上に保持する保持部とを有する載台と、
前記嵌合部の外方へ突出し前記嵌合部に向かって移動可能な操作部と、前記載置部と前記保持部との間に配置され前記載置部に載置された前記被保持体を前記載置部から離間する方向へ押圧可能な可動部と、前記操作部と前記可動部との間を連結し、前記操作部の移動を前記可動部の前記方向への移動に変換可能に前記載台に支持される支持部と、を有する解除部材と
を具備する保持機構。
【発明の詳細な説明】
【技術分野】
【０００１】
本技術は、例えば、光ディスクの取り外しを容易にすることができるディスクチャッキング機構、ディスクドライブ装置及び保持機構に関する。
【背景技術】
【０００２】
光ディスクを用いて情報の記録や再生を行うディスクドライブ装置は、当該光ディスクをターンテーブル上にチャッキングするためのディスクチャッキング機構を備えている。ディスクチャッキング機構としては、例えば、ターンテーブルの回転中心から突出したセンターキャップの外周部から突出される複数のチャック爪によりターンテーブル上に載置されたディスクの内周部を保持する構成が知られている（例えば特許文献１参照）。
【先行技術文献】
【特許文献】
【０００３】
【特許文献１】特開２００１−３５１２９２号公報
【発明の概要】
【発明が解決しようとする課題】
【０００４】
しかしながらこの種のディスクチャッキング機構においては、光ディスクを取り外す際にチャッキングを解除するための力を光ディスクに加える必要があるため、取り外し作業が容易でなく、また光ディスクの変形を生じさせるおそれがある。一方、特許文献１に記載には、ターンテーブルへの押圧操作によってチャッキング機構による光ディスクの保持を解除することが可能なチャッキング構造が開示されているが、部品点数が多く構成が複雑であるという問題がある。
【０００５】
以上のような事情に鑑み、本技術の目的は、簡単な構成で、光ディスクの取り外しを容易に行うことができるディスクチャッキング機構、ディスクドライブ装置及び保持機構を提供することにある。
【課題を解決するための手段】
【０００６】
上記目的を達成するため、本技術の一形態に係るディスクチャッキング機構は、ターンテーブルと、解除部材とを具備する。
上記ターンテーブルは、載置部と、嵌合部と、保持部と、駆動源とを有する。上記載置部には、中心孔を有するディスクが載置される。上記嵌合部は、上記載置部に形成され、上記中心孔と嵌合可能である。上記保持部は、上記嵌合部に設けられ、上記嵌合部に嵌合した上記ディスクを上記載置部上に保持する。上記駆動源は、上記載置部に固定された回転軸を有する。
上記解除部材は、操作部と、可動部と、支持部とを有する。上記操作部は、上記嵌合部の外方へ突出し、上記嵌合部に向かって移動可能である。上記可動部は、上記載置部と上記保持部との間に配置され、上記載置部に載置された上記ディスクを上記載置部から離間する方向へ押圧可能である。上記支持部は、上記操作部と上記可動部との間を連結し、上記操作部の移動を上記可動部の上記方向への移動に変換可能に上記ターンテーブルに支持される。
【０００７】
上記ディスクチャッキング機構によれば、当該操作部の操作力をディスクチャッキングの解除力に変換できるため、簡単な構成で容易にディスクをターンテーブルから取り外すことが可能となる。
【０００８】
上記支持部は、上記嵌合部に回動可能に支持された軸部を含んでもよい。この場合、上記操作部及び上記可動部は、上記軸部のまわりに回動可能に構成される。
これにより解除部材は、操作部を力点、可動部を作用点、軸部を支点とする「てこ」として機能するため、簡単な構成で容易にディスクの取り外しを実現することができる。
【０００９】
上記解除部材は、上記操作部と上記可動部と上記支持部とをそれぞれ有し上記嵌合部の周囲に配置された複数の解除部材で構成されてもよい。
これにより、複数の解除部材を操作することで、ディスクを安定した姿勢で取り外すことが可能となる。
【００１０】
一方、上記支持部は、弾性変形可能な弾性部と、上記ターンテーブルに支持され上記弾性部の変形を上記可動部の傾動に変換する支点部と、を有するように構成されてもよい。
このような構成によっても、簡単な構成で容易にディスクの取り外しを実現することができる。
【００１１】
上記弾性部は、上記操作部と上記可動部との間に形成され、上記支点部は、上記弾性部と上記可動部との間に形成された屈曲部であってもよい。
【００１２】
上記操作部は、上記回転軸の軸方向に沿って移動可能に上記回転軸に支持される筒形状を有し、上記支持部は、上記嵌合部の周囲から径外方へ突出する複数の弾性片を有し、上記可動部は、上記複数の弾性片に連接された複数の可動片を有してもよい。
このような構成により、ディスクのチャッキング時において複数の弾性片によるディスクのセンタリング機能が得られる。
【００１３】
上記保持部は、上記嵌合部の周囲に配置された複数の保持片を有してもよい。この場合、上記複数の保持片の各々は、上記複数の弾性片の各々の間に配置される。
これによりディスクの安定したチャッキング状態を確保しつつ、ディスクを安定した姿勢でターンテーブルから取り外すことができる。
【００１４】
本技術の一形態に係るディスクドライブ装置は、筐体と、上記筐体内に配置されるディスクチャッキング機構とを具備する。
上記ディスクチャッキング機構は、ターンテーブルと、解除部材とを有する。
上記ターンテーブルは、載置部と、嵌合部と、保持部と、駆動源とを有する。上記載置部には、中心孔を有するディスクが載置される。上記嵌合部は、上記載置部に形成され、上記中心孔と嵌合可能である。上記保持部は、上記嵌合部に設けられ、上記嵌合部に嵌合した上記ディスクを上記載置部上に保持する。上記駆動源は、上記載置部に固定された回転軸を有する。
上記解除部材は、操作部と、可動部と、支持部とを有する。上記操作部は、上記嵌合部の外方へ突出し、上記嵌合部に向かって移動可能である。上記可動部は、上記載置部と上記保持部との間に配置され、上記載置部に載置された上記ディスクを上記載置部から離間する方向へ押圧可能である。上記支持部は、上記操作部と上記可動部との間を連結し、上記操作部の移動を上記可動部の上記方向への移動に変換可能に上記ターンテーブルに支持される。
【００１５】
本技術の一形態に係る保持装置は、載台と、解除部材とを具備する。
上記載台は、取付孔を有する板状の被保持体が載置される載置部と、上記載置部に形成され上記取付孔と嵌合可能な嵌合部と、上記嵌合部に設けられ、上記嵌合部に嵌合した上記被保持体を上記載置部上に保持する保持部とを有する。
上記解除部材は、操作部と、可動部と、支持部とを有する。上記操作部は、上記嵌合部の外方へ突出し、上記嵌合部に向かって移動可能である。上記可動部は、上記載置部と上記保持部との間に配置され、上記載置部に載置された上記被保持体を上記載置部から離間する方向へ押圧可能である。上記支持部は、上記操作部と上記可動部との間を連結し、上記操作部の移動を上記可動部の傾動動作に変換可能に上記載台に支持される。
【発明の効果】
【００１６】
以上のように、本技術によれば、簡単な構成で容易にディスクをターンテーブルから取り外すことができる。
【図面の簡単な説明】
【００１７】
【図１】本技術の実施形態に係るディスクチャッキング機構を備えたディスクドライブ装置を示す概略斜視図である。
【図２】本技術の第１の実施形態に係るディスクチャッキング機構の平面図である。
【図３】（Ａ）は図２における［Ａ］−［Ａ］線方向の断面図、図３（Ｂ）はディスクチャッキング機構の動作の一例を示す断面図である。
【図４】本技術の第２の実施形態に係るディスクチャッキング機構の平面図である。
【図５】図４における［Ｂ］−［Ｂ］線方向に相当する、チャッキング解除操作時の断面図である。
【図６】本技術の第３の実施形態に係るディスクチャッキング機構の要部斜視図である。
【図７】上記ディスクチャッキング機構の分解斜視図である。
【図８】上記ディスクチャッキング機構の縦断面図である。
【図９】光ディスク装着時における上記ディスクチャッキング機構の縦断面図である。
【図１０】光ディスク取り外し時における上記ディスクチャッキング機構の縦断面図である。
【発明を実施するための形態】
【００１８】
以下、本技術に係る実施形態を、図面を参照しながら説明する。
【００１９】
＜第１の実施形態＞
図１は、本技術の第１の実施形態に係るディスクチャッキング機構を備えたディスクドライブ装置を示す概略斜視図である。以下、本実施形態のディスクドライブ装置１の全体構成について説明する。
【００２０】
［ディスクドライブ装置］
ディスクドライブ装置１は、光ディスク２に対して信号の記録及び／又は再生を行う記録再生装置として構成される。ディスクドライブ装置１は、ターンテーブル６に対する光ディスク２の取り付け及び取り外しをユーザの手によって直接行う方式のディスクチャッキング機構（セルフチャッキング機構）３を備える。本実施形態のディスクドライブ装置１は、例えば、ポータブル型の記録再生装置、ノート型パーソナルコンピュータに内蔵された記録再生装置等に適用される。
【００２１】
光ディスク２としては、中心孔（センターホール）を有する種々のディスク状記録媒体が適用可能である。ディスク状記録媒体としては、オーディオ情報としての音楽信号、ビデオ信号としての映像信号及び音楽信号等の各種の情報信号が予め記録された再生専用の光ディスクを挙げることができる。これ以外にも、ディスク状記録媒体としては、これらの情報信号を１度だけ書き込むことが可能な追記型の光ディスク、これらの情報を繰り返し書き換えることが可能な書換型の光ディスク等を挙げることができる。ディスク状記録媒体としては、ＣＤ、ＤＶＤ、ＢＤなどの光ディスクのほか、光磁気ディスク等の他のディスク状記録媒体も適用可能である。
【００２２】
ディスクドライブ装置１は、光ディスク２を保持するためのディスクチャッキング機構３と、光学ヘッド４とを有する。ディスクチャッキング機構３は、駆動源（スピンドルモータ）５を含むターンテーブル６を有する。光学ヘッド４は、光ディスク２に記録された情報を再生し、あるいは光ディスク２に対して情報を記録するための光学ピックアップ４ａや、光学ピックアップ４ａを光ディスク２の径方向に移動させる移動機構等を含む。
【００２３】
以下、ディスクチャッキング機構３の詳細について図２及び図３を参照して説明する。
【００２４】
［ディスクチャッキング機構］
図２は本実施形態のディスクチャッキング機構３１の平面図、図３（Ａ）は図２における［Ａ］−［Ａ］線方向の断面図、図３（Ｂ）はディスクチャッキング機構３１の動作の一例を示す断面図である。
【００２５】
ディスクチャッキング機構３１は、ターンテーブル６１（載台）と、解除部材１０とを有する。ディスクチャッキング機構３１及びターンテーブル６１は、図１に概略的に示したディスクチャッキング機構３及びターンテーブル６にそれぞれ対応する。
【００２６】
（ターンテーブル）
ターンテーブル６１は、光ディスク２が載置される載置部６１０と、載置部６１０に設けられ嵌合部材６１２（嵌合部）と、複数の保持片６１３（保持部）とを有する。
【００２７】
載置部６１０は、円板形状を有しており、その上面の周縁部に凸状に形成された円環状の載置面６１１によって光ディスク２が支持される。載置面６１１には緩衝材として、円環状のラバーシート等が貼り付けられてもよい。
【００２８】
嵌合部材６１２は、円筒あるいは円柱形状を有する。嵌合部材６１２は、その軸心が載置部６１０の軸心と整列するように載置部６１０の上面に固定されている。嵌合部材６１２の外径は、光ディスク２の中心孔２ａの径よりも若干小さく形成されることで、光ディスク２の中心孔２ａに嵌合可能に構成される。
【００２９】
複数の保持片６１３は嵌合部材６１２に設けられ、本実施形態では、嵌合部材６１２の側面に等角度間隔で３個の保持片６１３が取り付けられている。複数の保持片６１３はそれぞれバネ６１４の弾性力により嵌合部材６１２の側面から径外方側へ所定距離突出するように構成されている。これら複数の保持片６１３及びバネ６１４により、光ディスク２を載置部６１０上に保持する保持部が構成される。
【００３０】
複数の保持片６１３は、載置部６１０への光ディスク２の取り付け時、及び、載置部６１０からの光ディスク２の取り外し時に、バネ６１４の弾性力に抗して嵌合部材６１２の径内方側へ退避できるように構成されている。バネ６１４の弾性力は、所定のチャッキング力が得られる適度な値に設定されている。保持片６１３は板状である例に限られず、ボール状、ピン状その他の形状であってもよい。
【００３１】
回転軸６１５は、載置部６１０及び嵌合部材６１２の軸心位置に固定されており、駆動源５の駆動により載置部６１０に載置された光ディスク２を回転軸６１５のまわりに所定方向へ所定速度で回転させる。
【００３２】
（解除部材）
解除部材１０は、ターンテーブル６１に取り付けられ、操作部１０１と、可動部１０２と、支持部１０３とを有する。
【００３３】
操作部１０１は、嵌合部材６１２の外方（本例では上方）へ突出し、嵌合部材６１２へ向かって移動可能に構成される。可動部１０２は、載置部６１０と複数の保持片６１３との間に配置され、載置部６１０に載置された光ディスク２を載置部６１０から離間する方向へ押圧可能に構成される。支持部１０３は、操作部１０１と可動部１０２との間を連結し、操作部１０１の移動を可動部１０２の上記方向への移動に変換可能にターンテーブル３１に支持される。
【００３４】
解除部材１０は、一軸方向に長手方向を有する所定厚みの金属板を所定形状に折り曲げて形成される。本実施形態において解除部材１０は、図２に示すようにその長手方向がターンテーブル６の径方向に沿って配置される。そして解除部材１０は、上記金属板の一方の端部と他方の端部とをその中央部に関して相互に反対側に折り曲げることで形成され、上記一方の端部側が操作部１０１として、上記他方の端部側が可動部１０２としてそれぞれ構成される。
【００３５】
解除部材１０は不用意に変形しない適度な剛性を有する材料で構成され、要求される耐変形特性が得られる限りにおいては、金属材料以外の他の材料、例えば合成樹脂材料やセラミック材料で構成されてもよい。
【００３６】
操作部１０１は、嵌合部材６１２の上面に対向するように嵌合部材６１２の径内方側へ所定角度折り曲げて形成される。本実施形態では、光ディスク２がターンテーブル６１に装着された際、図３（Ａ）に示すように操作部１０１と嵌合部材６１２の上面との間に所定の大きさの間隙が形成されるように操作部１０１の折り曲げ角度が設定される。
【００３７】
操作部１０１は、所定の長さを有するほぼ平坦な板状に形成される。操作部１０１は、その先端部が嵌合部材６１２よりもその径外方側へ突出しない適宜の長さに形成される。これによりターンテーブル６１に対する光ディスク２の適正な着脱操作が可能となる。
【００３８】
一方、可動部１０２は、載置部６１０と光ディスク２との間に位置するように嵌合部材６１２の径外方側へ折り曲げて形成される。本実施形態では、光ディスク２がターンテーブル６１に装着された際、図３（Ａ）に示すように可動部１０２が光ディスク２と平行になるように形成される。
【００３９】
可動部１０２もまた、所定の長さを有するほぼ平坦な板状に形成される。可動部１０２は、その先端部が載置面６１１との間に所定の間隙が形成される適宜の長さに形成される。可動部１０２の厚みは、載置面６１１の高さと同一又はこれよりも低く形成される。これにより載置面６１１に対する光ディスク２の安定した接触が確保される。
【００４０】
支持部１０３は、操作部１０１及び可動部１０２を連結する所定の長さのほぼ平坦な板状に形成されており、嵌合部材６１２の周囲の一部に軸部１３１を介して回動自在に支持される。軸部１３１は、嵌合部材６１２の周面との接線と平行に形成される。これにより操作部１０１及び可動部１０２は、軸部１３１のまわりに回動可能に構成され、解除部材１０は、図３（Ａ）に示す第１の位置と、図３（Ｂ）に示す第２の位置との間を回動可能とされる。第１の位置では、操作部１０１は嵌合部材６１２から離間し、可動部１０２が載置部６１０と平行とされる。第２の位置では、操作部１０１は嵌合部材６１２に近接し、可動部１０２は載置部６１０から離間する。
【００４１】
本実施形態において支持部１０３は、嵌合部材６１２の周面の一部に形成された切欠き部６１２ａに取り付けられる。支持部１０３は、上記第１の位置において、嵌合部材６１２の周面から径外方側へ突出することなく切欠き部６１２ａ内に収容される。
【００４２】
軸部１３１は、切欠き部６１２ａの対向する２側壁の間に架け渡される。本実施形態において軸部１３１は、支持部１０３と一体的に固定され、嵌合部材６１２の上面周縁の角部に取り付けられる。この場合、可動部１０２と支持部１０３とのなす角は、ほぼ直角とされる。これに対して操作部１０１と支持部１０３とのなす角は９０°より大きい角度とされるが、その角度は、光ディスク２の装着時において操作部１０１と嵌合部材６１２の上面との間に形成される間隙の大きさに応じて設定される。
【００４３】
次に、以上のように構成されるディスクチャッキング機構３１の典型的な動作例を説明する。
【００４４】
ターンテーブル６１に対して光ディスク２を装着するとき、光ディスク２は、その信号記録面を下側にして載置部６１０に載置される。このとき光ディスク２は、その中心孔２ａをターンテーブル６１の嵌合部材６１２に嵌合し、中心孔２ａの内周部で複数の保持片６１３を嵌合部材６１２の径内方側へ押圧しつつ、載置部６１０上の載置面６１１へ導かれる。
【００４５】
光ディスク２は、嵌合部材６１２により回転軸６１５の軸心にセンタリングされる。また複数の保持片６１３は、光ディスク２が載置面６１１に載置された際に嵌合部材６１２の径外方へ突出する初期位置に復帰し、光ディスク２を載置部６１０上に保持する。これにより光ディスク２の内周側所定領域（クランピングエリア）が、載置面６１１と複数の保持片６１３との間でクランプされる。
【００４６】
上述のようにして光ディスク２が載置部６１０に載置されると、解除部材１０は、図３（Ａ）に示すように第１の位置をとる。この状態では、操作部１０１は嵌合部材６１２の上面から離間し、可動部１０２は載置部６１０と光ディスク２との間に配置される。また光ディスク２の非装着時において、解除部材１０が図３（Ｂ）に示す第２の位置にある場合には、解除部材１０は、光ディスク２の装着時に載置面６１１に向かう光ディスク２との接触によって図３（Ａ）に示す第１の位置に移動させられる。これにより解除部材１０の姿勢に関係なく、光ディスク２をターンテーブル６１上に適正に装着することが可能となる。
【００４７】
一方、ターンテーブル６１から光ディスク２を取り外す際は、図３（Ｂ）に白抜き矢印で示す方向にユーザの指で操作部１０１を嵌合部材６１２の上面に向けて押圧することで、解除部材１０を第２の位置に回動させる。その結果、可動部１０２は軸部１３１のまわりに矢印Ｒで示す方向に傾動あるいは回動して光ディスク２の内周側裏面を載置部６１０から離間する方向へ押圧する。これにより複数の保持片６１３が光ディスク２の中心孔２ａの内周面によって嵌合部材６１２の径内方側へ押し込まれることで、光ディスク２に対するチャッキング力が解除され、光ディスク２が嵌合部材６１２の上端側に押し上げられる。
【００４８】
以上のようにして、光ディスク２がターンテーブル６１から取り外される。本実施形態によれば、解除部材１０の操作部１０１を嵌合部材６１２の上面に向けて押圧操作するだけで光ディスク２に対する保持片６１３によるチャッキング作用を解除することができる。これにより、光ディスク２をターンテーブル６１から容易に取り外すことができる。
【００４９】
また本実施形態によれば、解除部材１０が単一の部材で構成されるとともに、ターンテーブル６１の嵌合部材６１２に軸部１３１を介して回動可能に取り付けられるため、ディスクチャッキング機構３１の構成を簡素化することができる。
【００５０】
さらに本実施形態において解除部材１０は、操作部１０１を力点、可動部１０２を作用点、軸部１３１を支点とする「てこ」として機能し、操作部１０１の操作力Ｆをディスクチャッキングの解除力に変換する。これにより簡単な構成で容易にディスクの取り外しを実現することができる。また、光ディスク２の内周側を可動部１０２によって押し上げるため、光ディスク２の変形を最小限に抑えることができる。
【００５１】
また、光ディスク２のチャッキング力の大きさに応じて、操作部１０１の先端と軸部１３１との間の距離、及び、可動部１０２の先端と軸部１３１との間の距離をそれぞれ最適化することができる。これにより操作部１０１への操作力Ｆを可動部１０２の傾動による適切なチャッキング解除力に変換することができる。
【００５２】
＜第２の実施形態＞
図４及び図５は、本技術の第２の実施形態に係るディスクチャッキング機構を示しており、図４は平面図、図５は図４における［Ｂ］−［Ｂ］線方向に相当する、チャッキング解除操作時の断面図である。以下、第１の実施形態と異なる構成について主に説明し、上述の実施形態と同様の構成については同様の符号を付しその説明を省略または簡略化する。
【００５３】
本実施形態のディスクチャッキング機構３２は、複数の解除部材２０Ａ，２０Ｂ，２０Ｃを有し、これら複数の解除部材２０Ａ〜２０Ｃがターンテーブル６２の嵌合部材６１２の周囲に等角度間隔（本例では１２０°間隔）で取り付けられている。なお解除部材の数は上述の例に限定されず、また各解除部材が等角度で配置される例に限定されない。
【００５４】
複数の解除部材２０Ａ〜２０Ｃは、第１の実施形態において説明した解除部材１０と同様に構成され、操作部１０１と、可動部１０２と、支持部１０３とをそれぞれ有する。解除部材２０Ａ〜２０Ｃの操作部１０１、可動部１０２及び支持部１０３はそれぞれ同一の構成を有しており、それぞれ同一の形態でターンテーブル６２の嵌合部材６１２に取り付けられている。
【００５５】
解除部材２０Ａ〜２０Ｃは、複数の保持片６１３各々の間にそれぞれ１つずつ配置されている。各解除部材２０Ａ〜２０Ｃの操作部１０１は、嵌合部材６１２の上面の中心部において相互に対向しており、これら操作部１０１を嵌合部材６１２側へ同時に移動させた際に相互に干渉しないように構成されている。
【００５６】
以上のように構成される本実施形態のディスクチャッキング機構３２においては、ターンテーブル６２からの光ディスク２の取り外しに際して、図５に白抜き矢印で示すように、解除部材２０Ａ〜２０Ｃの各操作部１０１が同時に又は個別に押圧操作される。各操作部１０１が同時に押圧操作されることで、各可動部１０２が軸部１３１を支点として同時に傾動あるいは回動し、光ディスク２を各可動部１０２で同時に押し上げる。これにより光ディスク２が保持片６１３によるチャッキング力を解除しつつ載置部６１０から水平に持ち上げられるため、光ディスク２を安定した姿勢でターンテーブル６２から取り外すことが可能となる。
【００５７】
また本実施形態によれば、嵌合部材６１２の周方向に沿って保持片６１３と解除部材２０Ａ〜２０Ｃが交互に配置されているため、光ディスク２の取り外し時に各可動部１０２で光ディスク２を均一な力で押し上げることができる。
【００５８】
＜第３の実施形態＞
図６〜図１０は本技術の第３の実施形態に係るディスクチャッキング機構を示している。以下、第１の実施形態と異なる構成について主に説明し、上述の実施形態と同様の構成については同様の符号を付しその説明を省略または簡略化する。
【００５９】
図６は本実施形態に係るディスクチャッキング機構３３の要部斜視図、図７はディスクチャッキング機構３３の分解斜視図、図８はディスクチャッキング機構３３の縦断面図、図９は光ディスク装着時のディスクチャッキング機構３３を示す縦断面図、図１０は光ディスク取り外し時のディスクチャッキング機構３３を示す縦断面図である。
【００６０】
本実施形態のディスクチャッキング機構３３は、ターンテーブル６３（載台）と、解除部材３０とを有する。ディスクチャッキング機構３３及びターンテーブル６３は、図１に概略的に示したディスクチャッキング機構３及びターンテーブル６にそれぞれ対応する。
【００６１】
（ターンテーブル）
ターンテーブル６３は、光ディスク２が載置される載置部６３０と、載置部６３０に形成された嵌合部材６３２（嵌合部）と、複数の保持片６３３（保持部）とを有する。
【００６２】
載置部６３０は、略円板形状を有しており、その上面の周縁部に凸状に形成された円環状の載置面６３１によって光ディスク２が支持される。本実施形態において載置面６３１には、緩衝材として、円環状のラバーシート６３１ａが貼り付けられている。
【００６３】
嵌合部材６３２は、載置部６３０の上面に取り付けられ、円形のキャップ形状を有する。嵌合部材６３２の軸心は、載置部６３０の軸心と整列するように載置部６３０に固定されている。本例では、嵌合部材６３２の下端６３２ｄが、載置部６３０の上面に形成された環状の隆起部６３１ｄに対して接着、係着、圧着等の適宜の方法で固定される。
【００６４】
嵌合部材６３２の外径は、光ディスク２の中心孔２ａの径よりも若干小さく形成されることで、光ディスク２の中心孔２ａに嵌合可能に構成される。嵌合部材６１２の周面には、嵌合部材６１２の内部から複数の保持片６３３を各々突出させる複数の第１の切欠き部６３２ａと、解除部材３０の複数の可動片３０２を各々突出させる複数の第２の切欠き部６３２ｂとがそれぞれ形成されている。さらに、嵌合部材６３２の天板部６３２ｃの中心部には、解除部材３０の操作部３０１が嵌合する貫通孔６３２ｈが形成されている。
【００６５】
複数の保持片６３３は嵌合部材６３２に設けられ、本実施形態では、嵌合部材６３２の側面に等角度間隔で５個の保持片６３３が取り付けられている。複数の保持片６３３はそれぞれバネ６３４の弾性力により第１の切欠き部６３２ａから径外方側へ所定距離突出するように構成されている。各々のバネ６３４は、嵌合部材６３２の内部に形成されたバネ受け部６３２ｅと保持片６３３との間で支持される。これら複数の保持片６３３とバネ６３４とにより、光ディスク２を載置部６３０上に保持する保持部が構成される。
【００６６】
複数の保持片６３３は、載置部６３０への光ディスク２の取り付け時、及び、載置部６３０からの光ディスク２の取り外し時に、バネ６３４の弾性力に抗して嵌合部材６３２の径内方側へ退避できるように構成されている。保持片６３３は板状である例に限られず、ボール状、ピン状その他の形状であってもよい。
【００６７】
回転軸６３５は、駆動源５（図１参照）と載置部６３０との間に固定される。回転軸６３５は、載置部６３０及び嵌合部材６３２の軸心位置に固定されており、駆動源５の駆動により載置部６１０に載置された光ディスク２を回転軸６３５のまわりに所定方向へ所定速度で回転させる。駆動源５は、載置部６３０及び回転軸６３５に固定されたロータ５１と、ロータ５１の内周側に配置されたステータ５２とを有するスピンドルモータで構成される。
【００６８】
（解除部材）
解除部材３０は、ターンテーブル６３に取り付けられ、本実施形態では、載置部６３０と嵌合部材６３２との間に配置される。解除部材３０は、操作部３０１と、複数の可動片３０２（可動部）と、複数の弾性片３０３（支持部）とを有し、バネ性を有する金属板のプレス加工体で構成される。
【００６９】
操作部３０１は、上端が閉塞する円筒形状を有し、回転軸６３５の軸方向に沿って移動可能に回転軸６３５の上端外周面に嵌合している。操作部３０１は、嵌合部材６３２の貫通孔６３２ｈに嵌合しており、嵌合部材６３２の内部から外側に向かって突出している。
【００７０】
複数の弾性片３０３は、操作部３０１から放射状に延び、第２の切欠き部６３２ｂを介して嵌合部材６３２の周囲から径外方へ向かって突出している。本実施形態において複数の弾性片３０３は、操作部３０１の周囲に等角度間隔で形成された５本の弾性片で構成される。複数の保持片６３３の各々は、複数の弾性片３０３の各々の間に配置される。なお弾性片の数は上述の例に限定されず、また各弾性片が等角度で配置される例に限定されない。
【００７１】
複数の可動片３０２は、複数の弾性片３０３にそれぞれ連接される。複数の可動片３０２は、載置部６３０と複数の保持片６３３との間に配置され、光ディスク２がターンテーブル６３に装着された際、図９に示すように可動片３０２が光ディスク２と平行になるように形成される。複数の可動片３０２は、操作部３０１に対する押圧操作により、図１０に示すように載置部６３０に載置された光ディスク２を載置部６３０から離間する方向へ押圧可能に構成される。
【００７２】
複数の弾性片３０３は、弾性変形可能な弾性部３３１と、支点部３３２とをそれぞれ有する、ほぼ平坦な板状に形成される。弾性部３３１は、操作部３０１と可動片３０２との間に形成され、支点部３３２は、弾性部３３１と可動片３０２との間の屈曲部で形成される。
【００７３】
弾性部３３１は、段階的に折り曲げられて形成され、図８に示すように操作部３０１側から順に第１の領域３３１ａと、第２の領域３３１ｂと、第３の領域３３１ｃとを有する。第１の領域３３１ａは、嵌合部材６３２の天板部６３２ｃと所定の間隙をあけて操作部３０１から径方向に延びる。第２の領域３３１ｂは、第１の領域３３１ａから径外方へ載置部６３０に向かって斜めに傾斜して延びる。第３の領域３３１ｃは、第２の領域３３１ｂから載置部６３０の隆起部６３１ｄに向かって垂下し、可動片３０２に対してほぼ直交するように連結される。支点部３３２は、第３の領域３３１ｃと可動片３０２との境界部に形成される。第２の領域３３１ｂは、嵌合部材６３２の第２の切欠き部６３２ｂ内に位置し、第２の領域３３１ｃは、嵌合部材６３２の外周面よりも径外方側に突出している。
【００７４】
複数の可動片３０２もまた、所定の長さを有するほぼ平坦な板状に形成される。可動片３０２は、その先端部が載置面６３１との間に所定の間隙が形成される適宜の長さに形成される。可動片３０２の厚みは、載置面６３１の高さと同一又はこれよりも低く形成される。これにより載置面６３１に対する光ディスク２の安定した接触が確保される。
【００７５】
支点部３３２は、ターンテーブル６３に支持され、本実施形態においては載置部６３０の隆起部６３１ｄに支持されている。支点部３３２は、弾性部３３１の変形を可動片３０２の支点部３３２まわりの傾動に変換する機能を有する。
【００７６】
次に、以上のように構成されるディスクチャッキング機構３３の典型的な動作例を説明する。
【００７７】
ターンテーブル６３に対して光ディスク２を装着するとき、図９に示すように、光ディスク２は、その信号記録面を下側にして載置部６３０に載置される。このとき光ディスク２は、その中心孔２ａをターンテーブル６３の嵌合部材６３２に嵌合させ、中心孔２ａの内周部で複数の保持片６３３を嵌合部材６３２の径内方側へ押圧しつつ、載置部６３０上の載置面６３１へ導かれる。
【００７８】
この際、解除部材３０の各弾性片３０３（第２，第３の領域３３１ｂ，３３１ｃ）は、光ディスク２の中心孔２ａの内周部との接触により、嵌合部材６３２の径内方側へ弾性変形する。これら弾性片３０３の弾性変形により、弾性部３３１の第１の領域３３１ａは嵌合部材６３２の天板部６３２ｃに近接するように弓なりに変形する。光ディスク２の非装着時における第１の領域３３１ａと天板部６３２ｃとの隙間は、当該第１の領域３３１ａの弾性変形を阻害しない大きさに適宜設定される。
【００７９】
以上のようにして光ディスク２は、嵌合部材６３２及び解除部材３０の弾性片３０３により回転軸６３５の軸心にセンタリングされる。また複数の保持片６３３は、光ディスク２が載置面６３１に載置された際に嵌合部材６３２の径外方へ突出する初期位置に復帰し、光ディスク２を載置部６３０上に保持する。これにより光ディスク２の内周側所定領域（クランピングエリア）が、載置面６３１と複数の保持片６３３との間でクランプされる。
【００８０】
本実施形態によれば、解除部材３０の複数の弾性片３０３により光ディスク２の内周部を径外方側へ押圧する作用が得られるため、嵌合部材６３２に高精度な外径寸法を必要とすることなく光ディスク２の所定のセンタリング作用を得ることができる。
【００８１】
一方、ターンテーブル６３から光ディスク２を取り外す際は、図１０に白抜き矢印で示すようにユーザによって解除部材３０の操作部３０１が嵌合部材６３２の内部に向けて押圧される。これにより解除部材３０の各弾性片３０３が載置部６３０に向かって弾性変形し、弾性部３３１の第２の領域３３１ｂ及び第３の領域３３１ｃが嵌合部材６３２の径内方側に引き寄せられる。その結果、各可動片３０２は、支点部３３２を支点とする回転モーメントを受けて傾動し、光ディスク２を載置部６３０から離間する方向に押圧する。これにより複数の保持片６３３による光ディスク２のチャッキング力が解除される。
【００８２】
上述のように支点部３３２は、操作力Ｆに基づく操作部３０１の移動を、各可動片３０２の光ディスク２を載置部６３０から離間させる方向への移動（傾動）に変換する機能を果たす。この際、支点部３３２は、載置部６３０の隆起部６３１ｄ上を径外方側への移動を伴ってもよい。
【００８３】
以上のようにして、光ディスク２がターンテーブル６３から取り外される。本実施形態によれば、解除部材３０の操作部３０１を嵌合部材６３２の内部に向けて押圧操作するだけで光ディスク２に対するチャッキング作用を解除できるので、光ディスク２をターンテーブル６１から容易に取り外すことができる。
【００８４】
本実施形態によれば、解除部材３０が単一の部材で構成されるため、ディスクチャッキング機構３１の部品点数を削減でき、構成を簡素化することができる。解除部材３０は、操作部３０１を力点、各可動片３０２を作用点、支点部３３２を支点とする「てこ」として機能し、簡単な構成で容易にディスクの取り外しを実現することができる。また、光ディスク２の内周側を複数の可動片３０２によって押し上げるため、光ディスク２の変形を最小限に抑えることができると共に、光ディスク２を安定した姿勢で取り出すことができる。
【００８５】
また本実施形態によれば、嵌合部材６３２の周方向に沿って保持片６３３と弾性片３０３とが交互に配置されているため、光ディスク２の取り外し時に各可動片３０２で光ディスク２を均一な力で押し上げることができる。
【００８６】
さらに光ディスク２のチャッキング力の大きさに応じて、操作部３０１と支点部３３２との間の距離、弾性片３０３の弾性力等を最適化することで、光ディスク２の適正なチャッキング解除力を設定することができる。
【００８７】
以上、本技術の実施形態について説明したが、本技術は上述の実施形態にのみ限定されるものではなく、本技術の要旨を逸脱しない範囲内において種々変更を加え得ることは勿論である。
【００８８】
例えば以上の第３の実施形態では、解除部材の支持部は複数の弾性片で構成されたが、第１の実施形態のように単一の弾性片で構成されてもよい。この場合も、当該弾性片の弾性変形を利用して可動片による光ディスクのチャッキング解除作用を実現することができる。
【００８９】
また以上の実施形態では、ディスクドライブ装置に組み込まれるチャッキング機構に本技術を適用した例を説明したが、これに限られない。例えば、取付孔を有する板状のワーク（被保持体）を所定姿勢で保持するための各種保持機構にも本技術は適用可能である。当該保持機構としては、例えば、ワークの表面処理装置、搬送装置等が挙げられる。
【００９０】
なお、本技術は以下のような構成も採ることができる。
（１）中心孔を有するディスクが載置される載置部と、前記載置部に形成され前記中心孔と嵌合可能な嵌合部と、前記嵌合部に設けられ、前記嵌合部に嵌合した前記ディスクを前記載置部上に保持する保持部と、前記載置部に固定された回転軸を有する駆動源と、を有するターンテーブルと、
前記嵌合部の外方へ突出し前記嵌合部に向かって移動可能な操作部と、前記載置部と前記保持部との間に配置され前記載置部に載置された前記ディスクを前記載置部から離間する方向へ押圧可能な可動部と、前記操作部と前記可動部との間を連結し、前記操作部の移動を前記可動部の前記方向への移動に変換可能に前記ターンテーブルに支持される支持部と、を有する解除部材と
を具備するディスクチャッキング機構。
（２）上記（１）に記載のディスクチャッキング機構であって、
前記支持部は、前記嵌合部に回動可能に支持された軸部を含み、
前記操作部及び前記可動部は、前記軸部のまわりに回動可能に構成される
ディスクチャッキング機構。
（３）上記（１）又は（２）に記載のディスクチャッキング機構であって、
前記解除部材は、前記操作部と前記可動部と前記支持部とをそれぞれ有し前記嵌合部の周囲に配置された複数の解除部材で構成される
ディスクチャッキング機構。
（４）上記（１）に記載のディスクチャッキング機構であって、
前記支持部は、弾性変形可能な弾性部と、前記ターンテーブルに支持され前記弾性部の変形を前記可動部の傾動に変換する支点部と、を有する
ディスクチャッキング機構。
（５）上記（４）に記載のディスクチャッキング機構であって、
前記弾性部は、前記操作部と前記可動部との間に形成され、
前記支点部は、前記弾性部と前記可動部との間に形成された屈曲部である
ディスクチャッキング機構。
（６）上記（４）又は（５）に記載のディスクチャッキング機構であって、
前記操作部は、前記回転軸の軸方向に沿って移動可能に前記回転軸に支持される筒形状を有し、
前記支持部は、前記嵌合部の周囲から径外方へ突出する複数の弾性片を有し、
前記可動部は、前記複数の弾性片に連接された複数の可動片を有する
ディスクチャッキング機構。
（７）上記（６）に記載のディスクチャッキング機構であって、
前記保持部は、前記嵌合部の周囲に配置された複数の保持片を有し、
前記複数の保持片の各々は、前記複数の弾性片の各々の間に配置される
ディスクチャッキング機構。
（８）筐体と、
中心孔を有するディスクが載置される載置部と、前記載置部に形成され前記中心孔と嵌合可能な嵌合部と、前記嵌合部に設けられ、前記嵌合部に嵌合した前記ディスクを前記載置部上に保持する保持部と、前記載置部に固定された回転軸を有する駆動源と、を有するターンテーブルと、
前記嵌合部の外方へ突出し前記嵌合部に向かって移動可能な操作部と、前記載置部と前記保持部との間に配置され前記載置部に載置された前記ディスクを前記載置部から離間する方向へ押圧可能な可動部と、前記操作部と前記可動部との間を連結し、前記操作部の移動を前記可動部の前記方向への移動に変換可能に前記ターンテーブルに支持される支持部と、を含む解除部材と、
を有し、前記筐体内に配置されるディスクチャッキング機構と
を具備するディスクドライブ装置。
（９）取付孔を有する板状の被保持体が載置される載置部と、前記載置部に形成され前記取付孔と嵌合可能な嵌合部と、前記嵌合部に設けられ、前記嵌合部に嵌合した前記被保持体を前記載置部上に保持する保持部とを有する載台と、
前記嵌合部の外方へ突出し前記嵌合部に向かって移動可能な操作部と、前記載置部と前記保持部との間に配置され前記載置部に載置された前記被保持体を前記載置部から離間する方向へ押圧可能な可動部と、前記操作部と前記可動部との間を連結し、前記操作部の移動を前記可動部の前記方向への移動に変換可能に前記載台に支持される支持部と、を有する解除部材と
を具備する保持機構。
【符号の説明】
【００９１】
１…ディスクドライブ装置
２…光ディスク
３，３１，３２，３３…ディスクチャッキング機構
５…駆動源
６，６１，６２，６３…ターンテーブル
１０，２０Ａ，２０Ｂ，２０Ｃ，３０…解除部材
１０１，３０１…操作部
１０２…可動部
１０３…支持部
１３１…軸部
３０２…可動片
３０３…弾性片
３３１…弾性部
３３２…支点部
６１０，６３０…載置部
６１２，６３２…嵌合部材
６１３，６３３…保持片
６１５，６３５…回転軸
【図１】
2013161494.tif 000003
【図２】
2013161494.tif 000004
【図３】
2013161494.tif 000005
【図４】
2013161494.tif 000006
【図５】
2013161494.tif 000007
【図６】
2013161494.tif 000008
【図７】
2013161494.tif 000009
【図８】
2013161494.tif 000010
【図９】
2013161494.tif 000011
【図１０】
2013161494.tif 000012